(57)【要約】【課題】自動変速機を制御する制御用のマイコンに異常が発生した場合に、車両の走行状態にかかわらず、ユーザ与える負荷（衝撃）を軽減できるようにする。【解決手段】制御マイコン２１は、自動変速機の各ソレノイドＬ１，Ｌ２，・・・を、各制御信号Ｐ１，Ｐ２によってそれぞれ個別に制御する。監視マイコン２３は、制御マイコン２１の入出力信号等（駆動要求、ライン圧制御信号Ｐ１、電流フィードバック信号）に基づいて、制御マイコン２１が正常に動作しているか否かを判断（監視）する。監視マイコン２３は、制御マイコン２１が正常に動作していない異常状態であると判断すると、監視信号Ｓｗを出力する。この監視信号Ｓｗにより、ライン圧ソレノイドＬ１は、発振子２８からの出力パルスＳｎによって駆動されるようになり、これにより、自動変速機の変速段が強制的にニュートラルに切り替わる。【選択図】図１
2014020483.tif 000002
【特許請求の範囲】
【請求項１】
複数の電磁弁（Ｌ１，Ｌ２，・・・）が各々駆動されることによりニュートラルを含む複数の変速段の何れかに切り替え可能に構成された自動変速機（５）を制御する制御装置（７）であって、
前記各電磁弁へそれぞれ個別に制御信号を出力することによって前記各電磁弁を駆動させることにより前記自動変速機を制御するマイクロコンピュータ（２１）と、
前記マイクロコンピュータが実行している演算内容を監視することにより前記マイクロコンピュータが正常に動作しているか否かを判断する監視手段（２３）と、
前記監視手段により前記マイクロコンピュータが正常に動作していない異常状態と判断された場合に、前記各電磁弁のうち少なくとも１つの所定の電磁弁にそれぞれ個別に所定の異常時用制御信号を出力することによって、前記マイクロコンピュータからの前記制御信号にかかわらず前記自動変速機の変速段を強制的にニュートラルに切り替えるニュートラル切替制御手段（２７，２８，２９，Ｔ１，Ｔ２）と、
を備えることを特徴とする自動変速機の制御装置。
【請求項２】
請求項１に記載の自動変速機の制御装置であって、
前記自動変速機は、前記複数の電磁弁において、前記複数の電磁弁への前記各制御信号の入力が全て停止されていること、を少なくとも含む所定のフェイルセーフ条件が成立している場合に、前記変速段が所定の退避用変速段に強制的に切り替わるよう構成されており、
前記マイクロコンピュータは、自身の動作中、継続して所定のウォッチドッグ信号を出力するウォッチドッグ信号出力手段（３６）を備え、
当該自動変速機の制御装置は、前記マイクロコンピュータから前記ウォッチドッグ信号が一定期間出力されなかった場合に前記マイクロコンピュータへリセット信号を出力することにより前記マイクロコンピュータをリセットさせるウォッチドッグタイマ（３７）を備え、
前記ニュートラル切替制御手段（２６，２７，２８，２９，Ｔ１，Ｔ２）は、前記異常時用制御信号の出力後、前記ウォッチドッグタイマから前記リセット信号が出力されたときにその異常時用制御信号の出力を停止する
ことを特徴とする自動変速機の制御装置。
【請求項３】
請求項２に記載の自動変速機の制御装置であって、
前記監視手段により前記マイクロコンピュータが前記異常状態と判断された時からの経過時間を計時する計時手段（２５）を備え、
前記ニュートラル切替制御手段（２５，２７，２８，２９，Ｔ１，Ｔ２）は、前記異常時用制御信号の出力後、前記ウォッチドッグタイマから前記リセット信号が出力されることなく前記計時手段による前記経過時間が前記一定期間よりも長い所定の経過時間上限値以上となった場合は、前記異常時用制御信号の出力を停止する
ことを特徴とする自動変速機の制御装置。
【請求項４】
請求項２又は請求項３に記載の自動変速機の制御装置であって、
前記監視手段により前記マイクロコンピュータが前記異常状態と判断された後、前記ウォッチドッグタイマから前記リセット信号が出力された回数を計数するリセット信号計数手段（２４）と、
前記監視手段により前記マイクロコンピュータが前記異常状態と判断された後、前記監視手段により再び前記マイクロコンピュータが正常に動作していると判断されることなく前記リセット信号計数手段による前記リセット信号の計数値が所定の出力回数上限値以上となった場合に、前記複数の電磁弁への前記各制御信号の出力を強制的に停止させる制御強制停止手段（２４，Ｔ３，Ｔ４）を備える
ことを特徴とする自動変速機の制御装置。
【発明の詳細な説明】
【技術分野】
【０００１】
本発明は、電子制御により自動変速機を制御するよう構成された自動変速機の制御装置に関する。
【背景技術】
【０００２】
車両用の自動変速機としては、変速段を切り替えるための油圧回路に複数の電磁弁（ソレノイドバルブ）を設け、これら電磁弁の動作により油圧や油路を制御することにより変速段の切り替えを行うよう構成された電子制御式の自動変速機が一般的である。このような構成の自動変速機において、各電磁弁は、この自動変速機を制御するための電子制御装置（ＥＣＴ（Electronic Control Transmission ）−ＥＣＵ）からの制御信号によって駆動される。ＥＣＵ−ＥＣＵは、各電磁弁を制御するためのマイクロコンピュータ（以下「マイコン」ともいう）を有し、このマイコンが、上位ＥＣＵ（例えばエンジン制御ＥＣＵ）からの駆動要求に応じた制御信号を生成して各電磁弁へ出力する。
【０００３】
このような自動変速機では、マイコンに異常が発生すると、各電磁弁へ異常な制御信号が出力されてしまったり、マイコンが備えるウォッチドッグタイマの機能によって外部からマイコンがリセットされて制御信号の出力が全て停止してしまったりするなどして、変速段の切り替えが正常に行われなくなるおそれがある。
【０００４】
このようなマイコン異常時の誤変速への対策として、油圧回路にフェイルセーフバルブを設け、このフェイルセーフバルブによりメカ的にフェイルセーフを働かせる技術が一般によく知られている。具体的には、電磁弁が異常な動作をしている場合に自動的にこのフェイルセーフバルブを動作させることで、変速段を強制的に所定の退避用変速段（例えばサードギヤ）に切り替え、これにより退避走行を可能とするものである（例えば、特許文献１，２参照。）。
【０００５】
このようにフェイルセーフバルブを設けることで、仮にマイコンに異常が生じてウォッチドッグタイマ機能によりリセットされ、これによりマイコンからの制御信号出力が停止して制御不能となったとしても、そのリセットされている間はフェイルセーフバルブの動作によって退避走行が可能となる。
【先行技術文献】
【特許文献】
【０００６】
【特許文献１】特開平９−３０３５４５号公報
【特許文献２】特開２００６−４６５４２号公報
【発明の概要】
【発明が解決しようとする課題】
【０００７】
しかし、マイコンが異常状態になってからウォッチドッグタイマ機能によってリセットされるまでにはある程度の時間を要する。そのため、マイコンが異常状態になった後、リセットされるまでの間にマイコンによる誤制御が行われると、その誤制御によって車両の乗員（以下「ユーザ」という）に負荷（衝撃）を与えてしまうおそれがある。
【０００８】
具体的には、例えば車両が加速状態のときにマイコン異常が発生し、これにより、マイコンがリセットされるまでの間に低ギヤ段への誤変速が行われたり、あるいはライン圧を制御するライン圧ソレノイドが誤制御されてライン圧が最大圧に誤制御されたりすると、車両が急減速してユーザに負荷を与えてしまう。
【０００９】
仮に、マイコンが異常状態になってからリセットされるまでの間にユーザに負荷を与えてしまうような誤変速が起こらなかったとしても、リセットによりフェイルセーフが機能して変速段が退避用変速段に切り替えられると、その切り替わり前の車両の走行状態によっては、やはりユーザに負荷を与えてしまうおそれがある。
【００１０】
本発明は上記課題に鑑みなされたものであり、自動変速機を制御する制御用のマイコンに異常が発生した場合に、車両の走行状態にかかわらず、ユーザ与える負荷（衝撃）を軽減できるようにすることを目的とする。
【課題を解決するための手段】
【００１１】
上記課題を解決するためになされた本発明は、複数の電磁弁が各々駆動されることによりニュートラルを含む複数の変速段の何れかに切り替え可能に構成された自動変速機を制御する制御装置であって、マイクロコンピュータと、監視手段と、ニュートラル切替制御手段とを備える。
【００１２】
マイクロコンピュータは、各電磁弁へそれぞれ個別に制御信号を出力することによって各電磁弁を駆動させることにより自動変速機を制御する。
監視手段は、マイクロコンピュータが実行している演算内容を監視することによりマイクロコンピュータが正常に動作しているか否かを判断する。
【００１３】
ニュートラル切替制御手段は、監視手段によりマイクロコンピュータが正常に動作していない異常状態と判断された場合に、各電磁弁のうち少なくとも１つの所定の電磁弁にそれぞれ個別に所定の異常時用制御信号を出力することによって、マイクロコンピュータからの制御信号にかかわらず自動変速機の変速段を強制的にニュートラルに切り替える。
【００１４】
このように構成された本発明の自動変速機の制御装置では、監視手段によりマイクロコンピュータの異常状態が判断されると自動変速機を強制的にニュートラルにさせる。そのため、マイクロコンピュータに異常が発生した場合に、車両の走行状態にかかわらず、ユーザ与える負荷（衝撃）を軽減することができる。
【００１５】
自動変速機がフェイルセーフ機構を有している場合、即ち、複数の電磁弁において、その複数の電磁弁への各制御信号の入力が全て停止されていること、を少なくとも含む所定のフェイルセーフ条件が成立している場合に、変速段が所定の退避用変速段に強制的に切り替わるよう構成されている場合は、本発明の自動変速機の制御装置は、次のように構成するとよい。
【００１６】
即ち、マイクロコンピュータは、自身の動作中、継続して所定のウォッチドッグ信号を出力するウォッチドッグ信号出力手段を備え、当該自動変速機の制御装置は、マイクロコンピュータからウォッチドッグ信号が一定期間出力されなかった場合にマイクロコンピュータへリセット信号を出力することによりマイクロコンピュータをリセットさせるウォッチドッグタイマを備える。そして、ニュートラル切替制御手段は、異常時用制御信号の出力後、ウォッチドッグタイマからリセット信号が出力されたときにその異常時用制御信号の出力を停止する。
【００１７】
このように構成された自動変速機の制御装置では、マイクロコンピュータが異常状態となった場合、まず監視手段によりその異常状態が判断されて自動変速機が強制的にニュートラルに切り替えられる。その後、ウォッチドッグタイマにより異常が検出されると（つまりマイクロコンピュータからのウォッチドッグ信号欠落によりリセット信号が出力されると）、ニュートラルへの強制切り替えが解除される。さらに、そのニュートラル解除と共に、マイクロコンピュータがリセットされることにより、自動変速機においてフェイルセーフ条件が成立し、退避用変速段への切り替えが行われる。
【００１８】
つまり、マイクロコンピュータに異常が発生した場合、一旦強制的にニュートラルにされ、そのニュートラルを経て、フェイルセーフ機構による退避用変速段への切り替えが行われることになる。そのため、ニュートラル解除を適切なタイミングで実現できると共に、マイクロコンピュータの異常発生から退避用変速段への切り替えを、ユーザへの負荷（衝撃）を抑えつつスムーズに行うことができる。
【００１９】
なお、特許請求の範囲に記載した括弧内の符号は、一つの態様として後述する実施形態に記載の具体的手段との対応関係を示すものであって、本発明の技術的範囲を限定するものではない。
【図面の簡単な説明】
【００２０】
【図１】実施形態の車両用自動変速制御システムの概略構成を表す構成図である。
【図２】ＥＣＴ−ＥＣＵの概略構成を表す構成図である。
【図３】ＥＣＴ−ＥＣＵの動作例（制御マイコンに異常が発生し、その後ウォッチドッグタイマによるリセットで復旧するケース）を表すタイムチャートである。
【図４】ＥＣＴ−ＥＣＵの動作例（制御マイコンに異常が発生するが、ウォッチドッグタイマによりリセットされる前に自然復旧するケース）を表すタイムチャートである。
【図５】ＥＣＴ−ＥＣＵの動作例（制御マイコンに異常が発生し、ウォッチドッグタイマによるリセットによっても復旧しないケース）を表すタイムチャートである。
【図６】実施形態の車両用自動変速制御システムにおける、制御マイコン異常発生時の車両の加速度変化例を表す説明図である。
【図７】図６との比較のための、本発明が適用されない従来の車両用自動変速制御システムにおける、制御マイコン異常発生時の車両の加速度変化例を表す説明図である。
【発明を実施するための形態】
【００２１】
以下に、本発明の好適な実施形態を図面に基づいて説明する。
図１に示す本実施形態の車両用自動変速制御システムは、車両に搭載され、エンジンが発生するトルク・回転数を適切に駆動輪に伝達するためのシステムである。この車両用自動変速制御システムは、図１に示すように、エンジン１と、エンジン制御ＥＣＵ３と、電子制御自動変速機５と、自動変速制御ＥＣＵ（ＥＣＴ−ＥＣＵ）７とを備えている。
【００２２】
このように構成された車両用自動変速制御システムでは、エンジン制御ＥＣＵ３が、図示しない車速センサ、クランク位置センサ、スロットル開度センサ、各種温度センサなどの各種センサからの信号等に基づいて、エンジン１の燃料噴射量や点火時期等を制御することで、エンジン１を制御する。エンジン１の回転は、電子制御自動変速機５を介して駆動輪へ伝達される。
【００２３】
エンジン制御ＥＣＵ３は、さらに、図示しないシフトレバーポジションセンサからの信号が示すシフトポジション、車速センサからの車速信号が示す車両速度などの各種車両状態に基づいて、電子制御自動変速機５において設定可能な複数の変速段のうち適切な変速段を演算する。そして、その演算した変速段を示す駆動要求（変速要求）をＥＣＴ−ＥＣＵ７へ出力することにより、ＥＣＴ−ＥＣＵ７に対し、その演算した変速段への切り替えを実行させる。
【００２４】
なお、本実施形態の車両は、シフトレバーにより設定可能なシフトポジションとして、例えば、「Ｐ」（パーキング）、「Ｒ」（リバース）、「Ｎ」（ニュートラル）、「Ｄ」（ドライブ）、「２」（セカンド）、「Ｌ」（ロー）などがあり、ユーザ操作により任意のシフトポジションに設定される。
【００２５】
電子制御自動変速機５は、エンジン１の出力を伝達するためのトルクコンバータ１１と、複数段（例えば５段）の変速段（変速比）を有する変速機１２と、この変速機１２の変速段を油圧により自動的に切り替えるための油圧制御回路１３と、を備えた一般的な構成である。変速機１２は、複数のクラッチやギヤ、ブレーキ等からなる一般的構成である。
【００２６】
油圧制御回路１３は、変速機１２の各クラッチや各ブレーキを作動させて所望の変速段に切り替えるものである。具体的には、油圧制御回路１３は、ライン圧ソレノイドＬ１への通電が制御されることによりライン圧を調整するライン圧調整バルブ１６や、ロックアップソレノイドＬ２への通電が制御されることにより図示しないロックアップクラッチ（トルクコンバータ１１内）の係合・開放を行うロックアップバルブ１７などの、各種のソレノイドバルブ（電磁弁）を備えている。
【００２７】
これら各電磁弁は、それぞれ、ＥＣＴ−ＥＣＵ７によって個別に駆動制御される。具体的には、各電磁弁が備えるソレノイド（リニアソレノイド）への通電がＥＣＴ−ＥＣＵ７によって個別に制御され、これにより各ソレノイドバルブが駆動される。これら各電磁弁が駆動されることにより、油圧制御回路１３内の各部の油圧や油路が制御されて、変速機１２の変速段切り替えが行われる。
【００２８】
なお、変速機１２は、変速段として、減速比の最も大きい「１速ギヤ」から減速比の最も小さい「５速ギヤ」までの５つの変速段（変速ギヤ）のほか、後方へ走行するための「リバースギヤ」、エンジン１の回転を駆動輪に伝達させない「ニュートラル」などの、複数の変速段の何れかに切り替え可能となっている。
【００２９】
ライン圧調整バルブ１６は、図示しないオイルポンプからの油圧（ライン圧）を大元でコントロールするものであり、電子制御自動変速機の油圧制御回路が通常備えている周知のものである。ライン圧が高ければ高いほど、変速する際（変速段が切り替わる際）にクラッチやギヤが係合しやすくなる。逆に、ライン圧が低いほど、クラッチやギヤの係合力が弱まり、ある一定圧力以下になると、全てのクラッチ・ギヤ・ブレーキ等の係合が解除されてニュートラルとなる。
【００３０】
なお、本実施形態のライン圧調整バルブ１６は、ノーマリーオープン型の電磁弁であり、ライン圧ソレノイドＬ１への非通電時にはライン圧が最大となる。そして、ライン圧ソレノイドＬ１への通電量（通電デューティ）が上昇するに従い、ライン圧は徐々に小さくなり、ある通電デューティ以上になると、変速段がニュートラルに切り替わる。
【００３１】
また、油圧制御回路１３は、上述した各ソレノイドバルブのほか、フェイルセーフバルブ１５を備えている。上記の通り、油圧制御回路１３の各ソレノイドバルブは、いずれもＥＣＴ−ＥＣＵ７により制御されるのであるが、ＥＣＴ−ＥＣＵ７が備える制御マイコン２１（図２参照。詳細は後述。）に異常が生じて正常な制御が行われなくなると、各ソレノイドバルブが正常に制御されなくなり、誤制御・誤変速が行われてしまうおそれがある。
【００３２】
フェイルセーフバルブ１５は、このような制御マイコン異常に備えて設けられたものであり、ＥＣＴ−ＥＣＵ７による各ソレノイドバルブの制御が異常状態になった場合に、メカ的に自動で且つ強制的に、変速機１２の変速段を所定の退避用変速段（本例では例えば３速ギヤ）に切り替える。
【００３３】
フェイルセーフバルブ１５の構成や機能等については、上記特許文献１，２に詳しく記載されているため、ここではその詳細説明は省略する。
フェイルセーフバルブ１５が作動して強制的に退避用変速段への切り替えが行われる条件（フェイルセーフ条件）は複数あり、その１つに、ＥＣＴ−ＥＣＵ７から各ソレノイドＬ１，Ｌ２，・・・への通電が全て停止されること、即ちＥＣＵ−ＥＣＵ７により各ソレノイドＬ１，Ｌ２，・・・の制御が不能となること、がある。
【００３４】
ＥＣＴ−ＥＣＵ７内の制御マイコン２１は、その動作中、リセット信号ＩＮＩＴによりリセットされると、そのリセットされている間は動作が停止されるため、各ソレノイドＬ１，Ｌ２，・・・への制御信号出力も停止される。この制御信号出力停止により、そのリセットされている間は、各ソレノイドＬ１，Ｌ２，・・・への通電は全て停止される。すると、上記フェイルセーフ条件が成立することとなり、退避用変速段への強制切り替えが行われることとなる。つまり、制御マイコン２１のリセットも、フェイルセーフ条件の１つであるといえる。
【００３５】
このように、制御マイコン２１の異常などの何らかの異常発生等によって、複数のフェイルセーフ条件のうち何れかが成立すると、フェイルセーフバルブ１５が作動し、変速機１２の変速段が強制的に退避用変速段に切り替わる。そのため、ＥＣＴ−ＥＣＵ７に異常が生じて正常な制御ができなくなったとしても、ユーザは、退避用変速段にて車両を退避走行させることができる。
【００３６】
ＥＣＴ−ＥＣＵ７は、エンジン制御ＥＣＵ３からの駆動要求に従って各ソレノイドＬ１，Ｌ２，・・・を駆動することで各ソレノイドバルブを制御し、要求通りの変速段に切り替える。
【００３７】
ＥＣＴ−ＥＣＵ７は、より具体的には、図２に示すように、主として、制御マイコン２１、電源ＩＣ２２、監視マイコン２３、パルスカウンタ２４、解除タイマ２５、ＡＮＤ回路２６、ＪＫフリップフロップ（以下「ＪＫ−ＦＦ」）２７、発振子２８、ＯＲ回路２９、ライン圧ソレノイドＬ１駆動用のライン圧制御スイッチＴ１１、ロックアップソレノイドＬ２駆動用のロックアップ制御スイッチＴ１２などにより構成されている。ライン圧制御スイッチＴ１１およびロックアップ制御スイッチＴ１２は、本実施形態ではいずれもＮチャネル型ＭＯＳＦＥＴである。
【００３８】
制御マイコン２１は、エンジン制御ＥＣＵ３からの駆動要求に基づき、変速機１２の変速段がその要求された変速段となるように各ソレノイドＬ１，Ｌ２，・・・を制御する。具体的には、要求された変速段が実現されるように各ソレノイドバルブを駆動すべく、対応する各ソレノイドＬ１，Ｌ２，・・・のそれぞれに対し、その変速段に応じた制御信号を個別に生成・出力する。
【００３９】
各制御信号は、いずれも、所定のデューティ比のパルス信号（ＰＷＭ信号）である。制御マイコン２１は、要求された変速段を実現すべく、各ソレノイドＬ１，Ｌ２，・・・への各制御信号のデューティ比をそれぞれ演算し、その演算したデューティ比にて各制御信号を出力する。制御マイコン２１からの各制御信号は、直接的には対応する各スイッチをオン・オフ駆動させるものであるが、この制御信号により各スイッチを介して各ソレノイドＬ１，Ｌ２，・・・が駆動制御されるため、間接的には、各ソレノイドＬ１，Ｌ２を駆動制御する信号であるともいえる。
【００４０】
ライン圧調整バルブ１６を駆動するライン圧ソレノイドＬ１は、その一端が、ＥＣＴ−ＥＣＵ７のライン圧ハイサイド端子３１を介して、ライン圧制御スイッチＴ１１のソースに接続されている。ライン圧ソレノイドＬ１の他端は、ＥＣＴ−ＥＣＵ７のライン圧ローサイド端子３２を介して電流検出抵抗Ｒ２の一端に接続されている。この電流検出抵抗Ｒ２の他端はグランドに接地されている。また、ライン圧ハイサイド端子３１とライン圧ローサイド端子３２の間には、環流用のダイオードＤ１が接続されている。
【００４１】
ライン圧制御スイッチＴ１１は、ドレインに駆動用直流電圧が印加されており、ゲートはＯＲ回路２９の出力端子に接続されている。ＯＲ回路２９には、制御マイコン２１からのライン圧制御信号Ｐ１と発振子２８からのニュートラル制御信号Ｓｎが入力される。ＯＲ回路２９は、これら各入力信号Ｐ１，Ｓｎの論理和を演算して、その演算結果をゲート入力信号Ｓｇとしてライン圧制御スイッチＴ１１のゲートへ出力する。
【００４２】
なお、ＯＲ回路２９の２つの入力端子のうちニュートラル制御信号Ｓｎが入力される一方の入力端子は、第１トランジスタＴ１を介してグランドに接地されている。即ち、第１トランジスタＴ１のコレクタがその一方の入力端子に接続され、第１トランジスタＴ１のエミッタがグランドに接地されている。尚、第１トランジスタＴ１は、本実施形態ではＮＰＮ型バイポーラトランジスタである。後述する他の各トランジスタＴ２〜Ｔ４も同様である。
【００４３】
そのため、その第１トランジスタＴ１がオンすることによりその一方の入力端子がグランドと導通すると、その一方の入力端子への入力信号レベルは、発振子２８の発振出力にかかわらずＬ（Ｌｏｗ）レベルに固定される。
【００４４】
同様に、ＯＲ回路２９の２つの入力端子のうちライン圧制御信号Ｐ１が入力される他方の入力端子も、第２トランジスタＴ２を介してグランドに接地されている。即ち、第２トランジスタＴ２のコレクタがその他方の入力端子に接続され、第２トランジスタＴ２のエミッタがグランドに接地されている。そのため、その第２トランジスタＴ２がオンすることによりその他方の入力端子がグランドと導通すると、その他方の入力端子への入力信号レベルは、制御マイコン２１からのライン圧制御信号Ｐ１にかかわらずＬレベルに固定される。
【００４５】
さらに、ライン圧制御スイッチＴ１１のゲートは、第３トランジスタＴ３を介してグランドに接地されている。即ち、第３トランジスタＴ３のコレクタがライン圧制御スイッチＴ１１のゲートに接続され、第３トランジスタＴ３のエミッタがグランドに接地されている。そのため、その第３トランジスタＴ３がオンすることによりライン圧制御スイッチＴ１１のゲートがグランドと導通すると、ＯＲ回路２９からのゲート入力信号のレベルにかかわらず、ライン圧制御スイッチＴ１１はオフに固定される。
【００４６】
本実施形態では、詳細は後述するが、基本的には（制御マイコン２１が正常である限り）、第１トランジスタＴ１はオンされ、第２トランジスタＴ２および第３トランジスタＴ３はオフされている。そのため、通常は、制御マイコン２１からのライン圧制御信号Ｐ１のレベル変化がそのままＯＲ回路２９からゲート入力信号として出力され、これによりライン圧制御スイッチＴ１１はライン圧制御信号Ｐ１に従ってオン・オフされることになる。
【００４７】
これに対し、監視マイコン２３により制御マイコン２１の異常が検出されると、後述するように、第１トランジスタＴ１がオフされると共に第２トランジスタＴ２がオンされ、これにより発振子２８からのパルス信号（ニュートラル制御信号Ｓｎ）のレベル変化がそのままＯＲ回路２９からゲート入力信号として出力される。これにより、ライン圧制御スイッチＴ１１はそのニュートラル制御信号Ｓｎに従ってオン・オフされることになる。更に、詳細は後述するが、制御マイコン２１の異常が検出され、その異常状態が一定期間継続すると、第３トランジスタＴ３がオンされる。これにより、ライン圧制御スイッチＴ１１のゲートはグランド電位に固定され、ライン圧制御スイッチＴ１１はオフに固定されることになる。
【００４８】
電流検出抵抗Ｒ２は、ライン圧ソレノイドＬ１に流れる電流を検出するものである。この電流検出抵抗Ｒ２の両端の電圧が、電流値を示す電流検出値として、増幅回路およびフィルタ回路を介して制御マイコン２１に入力（フィードバック）される。
【００４９】
電流検出値を増幅する増幅回路は、図１に示すように、オペアンプ３０と、一端がオペアンプ３０の非反転入力端子に接続されて他端が電流検出抵抗Ｒ２の一端に接続された抵抗Ｒ３と、一端がオペアンプ３０の反転入力端子に接続されて他端が電流検出抵抗Ｒ２の他端に接続された抵抗Ｒ４と、一端がオペアンプ３０の非反転入力端子に接続されて他端がグランドに接地された抵抗Ｒ５と、一端がオペアンプ３０の反転入力端子に接続されて他端がオペアンプ３０の出力端子に接続された抵抗Ｒ６とにより構成されている。
【００５０】
電流検出抵抗Ｒ２により検出された電流検出値は、この増幅回路により増幅され、フィルタ回路により不要な高周波成分が除去される。このフィルタ回路から出力された信号が、ライン圧ソレノイドＬ１に流れている電流を示す電流フィードバック信号として、制御マイコン２１へ入力される。フィルタ回路は、図１に示すように、抵抗Ｒ８およびコンデンサＣ１からなる周知のＣＲローパスフィルタ（積分回路）として構成されたものである。
【００５１】
制御マイコン２１は、エンジン制御ＥＣＵ３から入力された駆動要求、および電流フィードバック信号に基づいて、所定のフィードバック制御演算を行うことで、駆動要求に応じた電流がライン圧ソレノイドＬ１に流れるようにライン圧制御信号Ｐ１を生成（デューティ比を演算）する。
【００５２】
ロックアップバルブ１７を駆動するロックアップソレノイドＬ２は、その一端が、ＥＣＴ−ＥＣＵ７のロックアップハイサイド端子３３を介して、ロックアップ制御スイッチＴ１２のソースに接続されている。ロックアップソレノイドＬ２の他端は、ＥＣＴ−ＥＣＵ７のロックアップローサイド端子３４を介して電流検出抵抗Ｒ７の一端に接続されている。この電流検出抵抗Ｒ７の他端はグランドに接地されている。また、ロックアップハイサイド端子３３とロックアップローサイド端子３４の間には、環流用のダイオードＤ２が接続されている。
【００５３】
ロックアップ制御スイッチＴ１２は、ドレインに駆動用直流電圧が印加されており、ゲートには制御マイコン２１からのロックアップ制御信号Ｐ２が入力される。また、ロックアップ制御スイッチＴ１２のゲートは、第４トランジスタＴ４を介してグランドに接地されている。即ち、第４トランジスタＴ４のコレクタがロックアップ制御スイッチＴ１２のゲートに接続され、第４トランジスタＴ４のエミッタがグランドに接地されている。そのため、その第４トランジスタＴ４がオンすることによりロックアップ制御スイッチＴ１２のゲートがグランドと導通すると、制御マイコン２１からのロックアップ制御信号Ｐ２のレベルにかかわらず、ロックアップ制御スイッチＴ１２はオフに固定される。
【００５４】
本実施形態では、詳細は後述するが、基本的には（制御マイコン２１が正常である限り）、第４トランジスタＴ４はオンされている。そのため、通常は、制御マイコン２１からのロックアップ制御信号Ｐ２のレベル変化がそのままロックアップ制御スイッチＴ１２のゲートに入力され、これによりロックアップ制御スイッチＴ１２はロックアップ制御信号Ｐ２に従ってオン・オフされることになる。
【００５５】
これに対し、詳細は後述するが、監視マイコン２３により制御マイコン２１の異常が検出されてその異常状態が一定期間継続すると、第４トランジスタＴ４がオンされる。これにより、ロックアップ制御スイッチＴ１２のゲートはグランド電位に固定され、ロックアップ制御スイッチＴ１２はオフに固定されることになる。
【００５６】
電流検出抵抗Ｒ７は、ロックアップソレノイドＬ２に流れる電流を検出するものである。この電流検出抵抗Ｒ２により検出される電流検出値も、図示は省略したものの、増幅回路およびフィルタ回路等を介して制御マイコン２１に入力され、ロックアップソレノイドＬ２のフィードバック制御に用いられる。
【００５７】
本実施形態の油圧制御回路１３には、図１や図２に示した２つのライン圧ソレノイドＬ１（ライン圧調整バルブ１６）およびロックアップソレノイドＬ２（ロックアップバルブ１７）の他にも、油圧を制御して変速段切り替えを行うための、図示しない複数のソレノイド（ソレノイドバルブ）が設けられている。ＥＣＴ−ＥＣＵ７には、それら図示しない複数のソレノイドに対しても、各ソレノイドへの通電をオン・オフするためのスイッチが搭載されている。制御マイコン２１は、それら各スイッチについても、上記２つのソレノイドＬ１、Ｌ２と同様に個別に制御信号を生成・出力してデューティ駆動する。このように、制御マイコン２１は、油圧制御回路１３内の各ソレノイドをそれぞれ制御信号により個別に制御することで、駆動要求に応じた変速段への変速切り替えを実現する。
【００５８】
なお、既述の通り、制御マイコン２１がリセットされて各制御信号の出力が全て停止され、各ソレノイドＬ１，Ｌ２，・・・への通電が全て停止されると（フェイルセーフ条件の１つ）、油圧制御回路１３のフェイルセーフバルブ１５が作動して強制的に退避用変速段への切り替えが行われる。また、ライン圧制御スイッチＴ１１へのゲート入力信号のデューティ比が所定値以上になると、ライン圧ソレノイドＬ１以外の他のソレノイドへの通電状態にかかわらず、ライン圧が低下して変速段が強制的にニュートラルになる。
【００５９】
また、制御マイコン２１は、その内部に、ウォッチドッグ用クロック（ＷＤＣ）出力部３６を備えている。このＷＤＣ出力部３６は、外部のウォッチドッグタイマ（ＷＤＴ）３７（詳細は後述）を定期的にリセットさせるための、一般的なマイコンが通常備えている周知の信号発生機構である。ＷＤＣ出力部３６は、制御マイコン２１が正常に動作している限り、所定周期でＷＤＣを出力する。一方、制御マイコン２１において、プログラム処理の暴走など異常が生じると、ＷＤＣ出力部３６からはＷＤＣが出力されなくなる。
【００６０】
電源ＩＣ２２は、図示しない車載バッテリの電圧を降圧して、ＥＣＴ−ＥＣＵ７内の各部へ動作用電源（上記駆動用直流電圧を含む）を供給する。
また、電源ＩＣ２２は、周知のウォッチドッグタイマ（ＷＤＴ）３７を内蔵している。ＷＤＴ３７は、計時開始後、制御マイコン２１からＷＤＣが入力される毎にその計時時間がクリアされ、計時開始後、制御マイコン２１からＷＤＣが入力されることなく一定期間Ｔａが経過した場合にはリセット信号ＩＮＩＴを出力する。電源ＩＣ２２からの（詳しくはＷＤＴ３７からの）リセット信号ＩＮＩＴは、制御マイコン２１のほか、監視マイコン２３，解除タイマ２５、およびＡＮＤ回路２６にも入力される。
【００６１】
監視マイコン２３は、制御マイコン２１が実行している演算内容を監視することにより、制御マイコン２１が正常に動作しているか否かを判断（監視）するものである。
より具体的には、監視マイコン２３は、エンジン制御ＥＣＵ３からの駆動要求、制御マイコン２１からの制御信号（ここでは特にライン圧制御信号Ｐ１）、およびそのライン圧制御信号Ｐ１に対して実際にライン圧ソレノイドＬ１に流れた電流（電流フィードバック信号）をそれぞれ取り込む。そして、その取り込んだ各信号に基づき、駆動要求に対して制御マイコン２１から正常にライン圧制御信号Ｐ１が出力されているか、また駆動要求に応じた電流が流れているか、などを所定の監視用演算処理によって判断することにより、制御マイコン２１の演算処理内容に問題がないかどうか、ひいては制御マイコン２１が正常に動作しているか否かを判断する。
【００６２】
このような、制御マイコン２１への入出力信号に基づく監視用演算処理にて監視を行うことで、監視マイコン２３は、ＷＤＴ３７による異常検出（リセット信号ＩＮＩＴの出力）よりも早い段階で制御マイコン２１の異常を判断することができる。
【００６３】
なお、監視マイコン２３は、ライン圧制御信号Ｐ１およびそれに対応した電流フィードバック信号に基づく異常判断を行うだけでなく、他の各ソレノイドに対する各制御信号および対応する各電流フィードバック信号に基づく異常判断も同様に行う。
【００６４】
そして、監視マイコン２３は、上記監視の結果、制御マイコン２１が正常に動作していない異常状態と判断した場合は、監視信号Ｓｗを出力する。この監視信号Ｓｗは、制御マイコン２１が正常である通常時はＬレベルであり、制御マイコン２１の異常が判断された場合はＨ（Ｈｉｇｈ）レベルとなる。
【００６５】
また、監視マイコン２３は、電源ＩＣ２２からリセット信号ＩＮＩＴが入力されるとリセットされる。そのため、制御マイコン２１の異常を判断して監視信号ＳｗをＨレベルにした後、リセット信号ＩＮＩＴによりリセットされると、監視信号Ｓｗは再びＬレベルに戻ることになる。
【００６６】
監視マイコン２３は、制御マイコン２１が異常であると判断した後も、引き続き異常判断を行う。もちろん、リセット信号ＩＮＩＴによりリセットされて再起動した後も異常判断を行う。そして、一旦異常と判断した後、その後の監視動作によって、制御マイコン２１が正常に動作していると判断した場合には、カウンタクリア信号ＣＬのパルスをパルスカウンタ２４へ出力する。
【００６７】
パルスカウンタ２４は、通常は、各スイッチＴ１１，Ｔ１２，・・・のゲートとグランドとの間に接続されている各トランジスタＴ３，Ｔ４，・・・（以下「ゲート接地用トランジスタ」ともいう）のベースにＬレベルのパルスカウンタ出力信号を出力している。そのため、通常時は、各ゲート接地用トランジスタはいずれもオフされている。
【００６８】
そして、パルスカウンタ２４は、電源ＩＣ２２からリセット信号ＩＮＩＴが出力される毎にその出力回数をカウントし、そのカウント値（パルスカウント値）Ｋｐが所定回数（本実施形態では例えば３回）以上となったら、パルスカウンタ出力信号をＨレベルにする。パルスカウンタ出力信号がＨレベルになると、各ゲート接地用トランジスタはオンして、各スイッチＴ１１，Ｔ１２，・・・のゲートはいずれもグランドに接地されるため、各スイッチＴ１１，Ｔ１２，・・・はいずれも強制的にオフされる。すると、各ソレノイドへの通電が強制的に停止され、これによりフェイルセーフ機構が作動して変速機１２の変速段は強制的に退避用変速段に切り替わることになる。
【００６９】
ただし、パルスカウンタ２４におけるパルスカウント値Ｋｐは、監視マイコン２３からカウンタクリア信号ＣＬ（パルス）が出力される度に０にクリアされる。そのため、パルスカウンタ２４は、監視マイコン２３により制御マイコン２１が異常状態であると判断された後、再び制御マイコン２１が正常に動作していると判断されない状態での（つまり異常状態が継続している間の）リセット信号ＩＮＩＴの累積出力回数を計数するものである。
【００７０】
発振子２８は、所定デューティ比のパルス信号を常時出力する。このパルス信号は、第１トランジスタＴ１がオンされている間は、発振子２８の出力ラインがＬレベルに固定されるため、ＯＲ回路２９には入力されない。一方、第１トランジスタＴ１がオフされている間は、発振子２８の出力パルスがニュートラル制御信号ＳｎとしてＯＲ回路２９へ入力される。
【００７１】
この場合、本実施形態では後述するように第２トランジスタＴ２はオンされるため、発振子２８からのニュートラル制御信号Ｓｎの信号レベルがそのままＯＲ回路２９からゲート入力信号Ｓｇとして出力され、ライン圧制御スイッチＴ１１がオン・オフされることになる。発振子２８の出力パルスのデューティ比は、そのデューティ比にてライン圧制御スイッチＴ１１を駆動することにより変速機１２の変速段を強制的にニュートラルに切り替えることができるような値に設定されている。つまり、発振子２８は、変速機１２を強制的にニュートラルにするためのニュートラル制御信号（ひいてはゲート入力信号）を生成・出力するものである。
【００７２】
ＪＫ−ＦＦ２７は、クリア端子（ＣＬＲ）への入力信号がＨレベル（「１」）からＬレベル（「０」）に変化する（エッジが立ち下がる）毎に、出力ＱがＨレベル、出力Ｑの論理反転信号Ｑ￣（以下「反転出力ＱＢ」という）がＬレベルの初期状態にリセットされる。ＪＫ−ＦＦ２７は、初期状態へのリセット後、クロック入力端子（ＣＫ）に入力される監視信号ＳｗがＬレベルからＨレベルに変化する（エッジが立ち上がる）毎に、そのエッジ立ち上がり直前にＤ端子に入力されていた信号レベルを出力Ｑ、その逆論理の信号を反転出力ＱＢとして出力する。
【００７３】
本実施形態では、ＪＫ−ＦＦ２７のＤ端子は抵抗Ｒ１を介してグランドに接地されている。つまり、Ｄ端子の入力レベルはＬレベルに固定されている。そのため、監視マイコン２３からの監視信号ＳｗがＨレベルに立ち上がる毎に、ＪＫ−ＦＦ２７からの出力ＱはＨレベル、反転出力ＱＢはＬレベルとなる。
【００７４】
このような構成により、通常時は、ＪＫ−ＦＦ２７からの出力ＱはＨレベルで反転出力ＱＢはＬレベルであるため、第１トランジスタＴ１はオンされ、第２トランジスタＴ２はオフされている。そのため、ＯＲ回路２９の２つの入力端子のうち一方のニュートラル制御信号Ｓｎが入力される入力端子はＬレベルに固定され、他方の入力端子には制御マイコン２１からのライン圧制御信号Ｐ１がそのまま入力される。これにより、ライン圧制御信号Ｐ１の信号レベル変化がそのままゲート入力信号Ｓｇとしてライン圧制御スイッチＴ１１のゲートに入力される。よって、ライン圧ソレノイドＬ１は制御マイコン２１からのライン圧制御信号Ｐ１によって駆動制御される。
【００７５】
一方、制御マイコン２１が異常状態となり、これを監視マイコン２３が検知して監視信号ＳｗをＨレベルに立ち上げると、ＪＫ−ＦＦ２７からの出力ＱはＬレベル、反転出力ＱＢはＨレベルにそれぞれ反転する。これにより、第１トランジスタＴ１はオフされ、第２トランジスタＴ２はオンされる。そのため、ＯＲ回路２９の２つの入力端子のうち一方のニュートラル制御信号Ｓｎが入力される入力端子には、そのニュートラル制御信号Ｓｎ（発振子２８からのパルス信号）が入力され、他方の入力端子はＬレベルに固定される。これにより、ニュートラル制御信号Ｓｎ（発振子２８の出力パルス）がそのままゲート入力信号Ｓｇとしてライン圧制御スイッチＴ１１のゲートに入力される。よって、ライン圧ソレノイドＬ１はそのニュートラル制御信号Ｓｎによって駆動制御され、これにより変速段が強制的にニュートラルに切り替わる。
【００７６】
解除タイマ２５は、監視信号ＳｗがＬレベルからＨレベルに立ち上がったタイミングからの経過時間を計時するものである。換言すれば、監視マイコン２３が制御マイコン２１の異常状態を判断した時からの経過時間を計時するものである。そして、その計時時間に応じた解除タイマ出力信号をＡＮＤ回路２６へ出力する。なお、解除タイマ２５の計時時間は、電源ＩＣ２２からリセット信号ＩＮＩＴが入力される（ＩＮＩＴがＬレベルに立ち下がる）毎にクリアされる。
【００７７】
解除タイマ２５からの解除タイマ出力信号は、通常時はＨレベルである。そして、監視マイコン２３からの監視信号Ｓｗの立ち上がりエッジにより計時を開始した後、経過時間が、予め設定した経過時間閾値Ｔｂ以上となったときに、解除タイマ出力信号として、所定パルス幅のＬレベルのパルスを出力する。この経過時間閾値Ｔｂは、電源ＩＣ２２のＷＤＴ３７がＷＤＣ入力停止からリセット信号ＩＮＩＴを出力するまでの上記一定期間Ｔａよりも長い時間に設定されている。なお、ＡＮＤ回路２６は、リセット信号ＩＮＩＴと解除タイマ出力信号の論理積を演算し、その論理積をＪＫ−ＦＦ２７のクリア端子（ＣＬＲ）へ出力する。
【００７８】
そのため、監視マイコン２３により制御マイコン２１の異常状態が判断されて監視信号ＳｗがＨレベルに立ち上がることによりＪＫ−ＦＦ２７からの出力ＱがＬレベルになった後、仮にリセット信号ＩＮＩＴによるリセットが行われなかったとしても、経過時間閾値Ｔｂが経過すると解除タイマ２５によりＪＫ−ＦＦ２７はリセットされることになる。
【００７９】
このように構成された本実施形態の車両用自動変速制御システムにおける、制御マイコン２１に異常が生じた場合の具体的動作例について、図３〜図５を用いて説明する。なお、図３〜図５中、「ＯＦＦ」とは信号レベルがＬレベルであることを意味し、「ＯＮ」とは信号レベルがＨレベルであることを意味する。
【００８０】
まず、図３を用いて、制御マイコン２１の異常時の動作例を説明する。本実施形態の車両用自動変速制御システムでは、制御マイコン２１が正常に動作している通常時は、各ソレノイドＬ１，Ｌ２，・・・はそれぞれ制御マイコン２１からの制御信号Ｐ１，Ｐ２，・・・により個別に駆動制御される。これにより、車両は通常走行を行う。
【００８１】
特にライン圧制御スイッチＴ１１については、第１トランジスタＴ１はオンされて第２トランジスタＴ２はオフされていることから、図３に示すように、発振子２８からのパルス信号は無効となって制御マイコン２１からのライン圧制御信号Ｐ１がゲート入力信号Ｓｇとしてライン圧制御スイッチＴ１１を駆動する。
【００８２】
通常走行中、時刻ｔ１にて、制御マイコン２１が異常状態となってそれが監視マイコン２３により判断されると、監視マイコン２３は、監視信号ＳｗをＨレベルに立ち上げる。これにより、ＪＫ−ＦＦ２７の出力ＱがＬレベル、反転出力ＱＢがＨレベルになり、ＯＲ回路２９への入力信号はニュートラル制御信号Ｓｎ（発振子２８の出力パルス）が有効となる。
【００８３】
つまり、ライン圧制御スイッチＴ１１のゲート駆動信号が、制御マイコン２１のライン圧制御信号Ｐ１からニュートラル制御信号Ｓｎに切り替わる。そのため、ライン圧は低下し、変速機１２の変速段は強制的にニュートラルに切り替わる。このようにニュートラル制御信号Ｓｎにより変速段を強制的にニュートラルに切り替える制御を、以下「ニュートラル制御」ともいう。なお、時刻ｔ１で監視マイコン２３からの監視信号ＳｗがＨレベルに立ち上がると、解除タイマ２５による計時も開始される。
【００８４】
一方、制御マイコン２１が異常状態になってＷＤＣの出力が停止され、そのＷＤＣ出力停止状態が一定期間Ｔａ継続すると（時刻ｔ２）、電源ＩＣ２２のＷＤＴ３７がリセット信号ＩＮＩＴを出力する（詳しくは、時刻ｔ２１までの所定時間、信号レベルをＬレベルに立ち下げる。）。つまり、制御マイコン２１が異常状態となると、まずは監視マイコン２３によりその異常状態がいち早く判断され、それに遅れてＴａ経過後にＷＤＴ３７によっても異常状態が判断されるということになる。
【００８５】
時刻ｔ２のリセット信号ＩＮＩＴ出力（Ｌレベル立ち下がり）により、制御マイコン２１，監視マイコン２３，解除タイマ２５，およびＪＫ−ＦＦ２７はいずれもリセット・クリアされる。これにより、ＪＫ−ＦＦ２７の出力ＱはＨレベル、反転出力ＱＢはＬレベルとなって、ニュートラル制御は終了する。
【００８６】
またこのとき、制御マイコン２１がリセットされることから、制御マイコン２１からの各制御信号の出力は全て停止され、よって各ソレノイドＬ１，Ｌ２，・・・への通電は全て停止される。つまり、ＥＣＴ−ＥＣＵ７による各ソレノイドＬ１，Ｌ２，・・・の制御が停止される。そのため、フェイルセーフ条件が成立して油圧制御回路１３のフェイルセーフバルブ１５が作動し、変速段が強制的に退避用変速段に切り替えられる。これにより、その退避用変速段での退避走行が可能となる。なお、時刻ｔ２でリセット信号ＩＮＩＴが出力（Ｌレベル立ち下がり）されると、解除タイマ２５の計時は終了してその計時値（経過時間）はクリアされる。
【００８７】
時刻ｔ２１にてリセット信号ＩＮＩＴがＨレベルに復帰すると、制御マイコン２１は動作を開始する。即ち、動作開始後、所定の初期化処理を経た上で、時刻ｔ３にて、ライン圧制御信号Ｐ１やＷＤＣの出力などの所定の制御処理を始め、正常状態に復帰する。これにより、車両は再び通常走行が可能となる。監視マイコン２３も同様に、所定の初期化処理を経た上で監視動作を再開する。
【００８８】
なお、時刻ｔ２でリセット信号ＩＮＩＴが出力されると、パルスカウンタ２４はパルスカウント値Ｋｐを１にする。しかし、時刻ｔ２１で監視マイコン２３が動作を再開し、時刻ｔ３で制御マイコン２１が正常に動作していると判断すると、監視マイコン２３は、パルスカウンタ２４へカウンタクリア信号ＣＬ（Ｈレベルのパルス）を出力する。そのため、パルスカウンタ２４のパルスカウント値Ｋｐは、時刻ｔ３にてクリアされる。
【００８９】
ところで、制御マイコン２１に異常が発生した場合に、ＷＤＴ３７からリセット信号ＩＮＩＴが出力される（Ｌレベルに立ち下がる）前に制御マイコン２１が復旧（以下「自然復旧」ともいう）することもある。このように制御マイコン２１が自然復旧する場合の動作例を、図４を用いて説明する。
【００９０】
図４においても、時刻ｔ１までは通常走行しており、時刻ｔ１にて制御マイコン２１が異常状態になることで、ニュートラル制御に移行する。ここまでは図３の動作例と同じである。時刻ｔ１でニュートラル制御へ移行した後、制御マイコン２１の異常状態が継続しているならば、やがてＴａ経過によりＷＤＴ３７からリセット信号ＩＮＩＴが出力されるはずである。しかし図４の例では、ＷＤＴ３７からのリセット信号ＩＮＩＴよりも早いタイミングで制御マイコン２１が自然復旧し、これにより時刻ｔ２にて、制御マイコン２１からは各制御信号Ｐ１，Ｐ２，・・・やＷＤＣなどが正常に出力されるようになる。
【００９１】
制御マイコン２１が自然復旧しても、ＪＫ−ＦＦ２７はクリアされない。そのため、制御マイコン２１からのライン圧制御信号Ｐ１は実質的に無効となって、しばらくの間はニュートラル制御が継続される。そして、監視マイコン２３による制御マイコン２１の異常判断（時刻ｔ１）からの経過時間が経過時間閾値Ｔｂに達することにより解除タイマ２５から解除タイマ出力信号（Ｌレベルパルス）が出力されると（時刻ｔ３）、ＪＫ−ＦＦ２７はリセットされる。これにより、時刻ｔ３以降は、ニュートラル制御が解除されて、ライン圧ソレノイドＬ１は制御マイコン２１からのライン圧制御信号Ｐ１により制御されることになり、通常走行が可能となる。
【００９２】
一方、制御マイコン２１に異常が発生した場合に、ＷＤＴ３７からのリセット信号ＩＮＩＴによりリセットされてももはや復旧しないこともあり得る。このように制御マイコン２１が異常状態から復旧しない場合の動作例を、図５を用いて説明する。
【００９３】
図５に示すように、時刻ｔ１で制御マイコン２１が異常状態となってニュートラル制御に移行した後、時刻ｔ２で、電源ＩＣ２２のＷＤＴ３７からのリセット信号ＩＮＩＴにより制御マイコン２１がリセットされ、これにより退避用変速段での退避走行に移行する。なお、時刻ｔ２でのリセット信号ＩＮＩＴ出力（Ｌレベル立ち下がり）により、パルスカウンタ２４のパルスカウンタ値Ｋｐは「１」にインクリメントされる。
【００９４】
しかし、そのリセットによっても制御マイコン２１が正常に動作しない場合、監視マイコン２３は時刻ｔ３にて再び制御マイコン２１の異常を判断し、ニュートラル制御に移行させる。その後、電源ＩＣ２２のＷＤＴ３７は、制御マイコン２１からＷＤＣが入力されないことから、時刻ｔ４で再びリセットをかける。なお、時刻ｔ４でのリセット信号ＩＮＩＴ出力（Ｌレベル立ち下がり）により、パルスカウンタ２４のパルスカウンタ値Ｋｐは「２」にインクリメントされる。
【００９５】
しかし、その時刻ｔ４でのリセットによってもなお、制御マイコン２１が正常に動作しない場合は、監視マイコン２３は時刻ｔ５にて再び制御マイコン２１の異常を判断し、ニュートラル制御に移行させる。その後、電源ＩＣ２２のＷＤＴ３７は、制御マイコン２１からＷＤＣが入力されないことから、時刻ｔ６で再びリセットをかける。
【００９６】
このように、リセットをかけても制御マイコン２１が復旧しない場合は、定期的にリセットが発生し、これによりニュートラル制御と退避走行（フェイルセーフ）とが交互に繰り返されてしまい、安定した退避走行ができなくなる。
【００９７】
これに対し、本実施形態では、パルスカウンタ２４が、制御マイコン２１が異常状態である間のリセット信号ＩＮＩＴをカウントする。そして、そのパルスカウンタ値Ｋｐが所定の出力回数上限値（本例では３回）に達したら、パルスカウンタ出力信号をＨレベルに固定し、これにより各ソレノイドＬ１，Ｌ２，・・・への通電を強制的に停止させる。
【００９８】
図５の例では、時刻ｔ６でのリセット信号ＩＮＩＴ出力（Ｌレベル立ち下がり）により、パルスカウンタ２４のパルスカウンタ値Ｋｐは「３」にインクリメントされる。そのため、その時刻ｔ６で、パルスカウンタ出力信号はＨレベルとなり、各ソレノイドＬ１，Ｌ２，・・・への通電が強制的に停止される。これにより、時刻ｔ６以後は安定した退避走行が可能となる。
【００９９】
以上説明した本実施形態の車両用自動変速制御システムによれば、監視マイコン２３が制御マイコン２１の演算内容を監視してその異常状態を判断する。そして、異常状態と判断した場合は、変速機１２を一旦強制的にニュートラル状態にし、その後に（ＷＤＴ３７によるリセットにより）、フェイルセーフバルブ１５によるフェイルセーフ、即ち退避用変速段への切り替えが行われるようにしている。
【０１００】
このように、制御マイコン２１の異常発生時に、一旦ニュートラルにした上でメカ的なフェイルセーフ機構による退避走行に移行させることで、制御マイコン２１の異常検出時の車両の走行状態にかかわらず、ユーザ与える負荷（衝撃）を軽減することができる。
【０１０１】
より具体的には、従来のＥＣＴ−ＥＣＵでは、図７に例示するように、加速走行中に時刻ｔ１で制御マイコンに異常が生じた場合、時刻ｔ２でＷＤＴによるリセットがかかって退避走行（フェイルセーフ）に移行するまでは、各ソレノイドＬ１，Ｌ２，・・・が正常に制御されなくなり、駆動要求通りに変速されない誤変速が行われてしまうおそれがある。そのため、例えば低速段に誤変速されてしまうこともあり、そうなると、図７に例示するように、加速走行状態から急に減速してしまい、ユーザに大きな負荷（衝撃）を与えてしまうおそれがある。
【０１０２】
これに対し、本実施形態では、図６に例示するように、加速走行中に時刻ｔ１で制御マイコンに異常が生じた場合、その異常状態が監視マイコン２３によっていち早く検出され、それによりニュートラル制御に切り替わる。そして、その後の時刻ｔ２で、ＷＤＴによるリセットがかかって、退避走行（フェイルセーフ）に移行する。そのため、ユーザに与える負荷（衝撃）を軽減することができる。
【０１０３】
また、本実施形態では、制御マイコン２１がＷＤＴ３７からのリセット信号ＩＮＩＴでリセットされるよりも前に自然復旧する場合もあることを想定して、解除タイマ２５を設けている。これにより、監視マイコン２３により制御マイコン２１の異常が判断された後、ＷＤＴ３７によりリセットされることなく経過時間閾値Ｔｂが経過したら、ＪＫ−ＦＦ２７が強制的にリセットされてニュートラル制御が解除され、退避走行に移行される。
【０１０４】
そのため、ＷＤＴ３７によりリセットされることなく制御マイコン２１が自然復旧した場合も、適切なタイミングでニュートラル制御を解除して退避走行へと移行させることができる。
【０１０５】
また、本実施形態では、制御マイコン２１が異常状態から復旧しない場合もあることを想定して、パルスカウンタ２４を設けている。これにより、制御マイコン２１の異常が判断された後、制御マイコン２１が復旧することなくＷＤＴ３７からのリセット信号ＩＮＩＴが連続して３回出力された（３回立ち下がった）場合は、全てのソレノイドＬ１，Ｌ２，・・・への通電が強制的に停止される。
【０１０６】
そのため、ニュートラル制御と退避走行（フェイルセーフ）とが繰り返されるのを防ぐことができ、安定的にフェイルセーフバルブ１５を働かせて退避走行に移行させることができる。
【０１０７】
［変形例］
以上、本発明の実施の形態について説明したが、本発明の実施の形態は、上記実施形態に何ら限定されるものではなく、本発明の技術的範囲に属する限り種々の形態を採り得ることはいうまでもない。
【０１０８】
例えば、ニュートラル制御について、上記実施形態では、ライン圧ソレノイドＬ１を対象としてその駆動デューティを制御することにより実現したが、これはあくまでも一例であり、他の少なくとも１つのソレノイドを適宜制御することで強制的にニュートラルにできるようにしてもよい。もちろん、ライン圧ソレノイドＬ１を含む複数のソレノイドを適宜制御することで強制的にニュートラルにできるようにしてもよい。
【０１０９】
また、ＷＤＴ３７とは別の制御マイコン２１の監視方法として、上記実施形態では、監視マイコン２３による監視を採用した。即ち、監視マイコン２３が、エンジン制御ＥＣＵ３からの駆動要求、制御マイコン２１からのライン圧制御信号Ｐ１、および電流フィードバック信号の三者に基づいて監視を行うようにした。しかし、このような監視方法はあくまでも一例であり、ＷＤＴ３７よりも早く制御マイコン２１の異常を判断できる限り、種々の監視方法を採用することができる。
【０１１０】
また、上記実施形態では、フェイルセーフバルブ１５が作動して退避用変速段への強制切り替えが行われるための条件（フェイルセーフ条件）として、全てのソレノイドＬ１，Ｌ２，・・・の駆動が停止していることを挙げたが、これに加えて他のフェイルセーフ条件を設定することもできる。
【０１１１】
また、上記実施形態では、制御マイコン２１が異常状態のままＷＤＴ３７からリセット信号ＩＮＩＴが連続して３回出力された場合に、制御マイコン２１はもはや復旧不可能とみて全てのソレノイドを停止させるようにしたが、この「３回」というのはあくまでも一例である。また、そのようにリセット信号ＩＮＩＴの連続出力回数に基づいて制御マイコン２１がもはや復旧不可能であることを判断することもあくまでも一例である。
【０１１２】
また、上記実施形態では、ニュートラル制御実現のために発振子２８を用い、ニュートラル制御と通常制御との切り替えのためにＪＫ−ＦＦ２７や各トランジスタＴ１，Ｔ２、解除タイマ２５、ＡＮＤ回路２６、ＯＲ回路２９等を用いたが、このような具体的回路構成はあくまでも一例である。他の回路構成や回路素子等を用いて同様の機能を実現するようにしてもよい。強制的にフェイルセーフを働かせるための、パルスカウンタ２４、各トランジスタＴ３，Ｔ４等からなる回路構成についても同様である。
【符号の説明】
【０１１３】
１…エンジン、３…エンジン制御ＥＣＵ、５…電子制御自動変速機、７…ＥＣＴ−ＥＣＵ、１１…トルクコンバータ、１２…変速機、１３…油圧制御回路、１５…フェイルセーフバルブ、１６…ライン圧調整バルブ、１７…ロックアップバルブ、２１…制御マイコン、２２…電源ＩＣ、２３…監視マイコン、２４…パルスカウンタ、２５…解除タイマ、２６…ＡＮＤ回路、２７…ＪＫ−ＦＦ、２８…発振子、２９…ＯＲ回路、３６…ＷＤＣ出力部、３７…ＷＤＴ、Ｃ１…コンデンサ、Ｌ１…ライン圧ソレノイド、Ｌ２…ロックアップソレノイド、Ｒ２，Ｒ７…電流検出抵抗、Ｔ１…第１トランジスタ、Ｔ１１…ライン圧制御スイッチ、Ｔ１２…ロックアップ制御スイッチ、Ｔ２…第２トランジスタ、Ｔ３…第３トランジスタ、Ｔ４…第４トランジスタ
【図１】
2014020483.tif 000003
【図２】
2014020483.tif 000004
【図３】
2014020483.tif 000005
【図４】
2014020483.tif 000006
【図５】
2014020483.tif 000007
【図６】
2014020483.tif 000008
【図７】
2014020483.tif 000009